(57)【要約】【課題】ユーザが放送受信装置を携帯して異なる放送エリアに移動する前に、視聴や録画の予約設定を簡易に行うことが可能な放送受信装置を提供することが課題となっていた。【解決手段】実施形態の放送受信装置は、放送受信装置の移動先を指定可能に出力する移動先指定部を備える。また、前記移動先が指定された場合に、前記指定された移動先で受信可能な番組に係る番組情報を、インターネットを介して取得する番組情報取得部を備える。また、前記取得された番組情報に基づいて、前記移動先で受信可能な番組に係る番組表を作成し、出力する番組表出力部を備える。【選択図】  図３
2012156905.tif 000002
【特許請求の範囲】
【請求項１】
放送受信装置の移動先を指定可能に出力する移動先指定部と、
前記移動先が指定された場合に、前記指定された移動先で受信可能な番組に係る番組情
報を、インターネットを介して取得する番組情報取得部と、
前記取得された番組情報に基づいて、前記移動先で受信可能な番組に係る番組表を作成
し、出力する番組表出力部を備える放送受信装置。
【請求項２】
前記出力された番組表から指定された移動先で受信可能な番組を、録画または視聴予約
可能な番組予約部を備える請求項１に記載の放送受信装置。
【請求項３】
前記放送受信装置は、移動先において番組を受信可能である請求項１に記載の放送受信
装置。
【請求項４】
前記放送受信装置は、映像を表示可能な映像表示部を備え、前記移動先で受信可能な番
組に係る番組表を表示可能である請求項１に記載の放送受信装置。
【請求項５】
前記番組予約部で録画予約された番組を録画する録画部を備える請求項２に記載の放送
受信装置。
【請求項６】
前記移動先においてサーチを行なうことによって、前記予約された番組の番組情報を取
得する番組情報取得部を備える請求項２に記載の放送受信装置。
【請求項７】
前記予約に重複がある場合は、重複する予約を削除する請求項２に記載の放送受信装置
。
【請求項８】
前記予約された番組に係る情報を表示する予約リストを出力可能な請求項２に記載の放
送受信装置。
【請求項９】
放送受信装置の移動先を指定可能に出力するステップと、
前記移動先が指定された場合に、前記指定された移動先で受信可能な番組に係る番組情
報を、インターネットを介して取得するステップと、
前記取得された番組情報に基づいて、前記移動先で受信可能な番組に係る番組表を作成
し、出力するステップを備える放送受信方法。
【発明の詳細な説明】
【技術分野】
【０００１】
本発明の実施形態は、放送受信装置、放送受信方法に関する。
【背景技術】
【０００２】
近年、視聴や録画予約が可能な放送受信装置が普及している。これらの放送受信装置の
中には、ユーザが携帯し、移動可能な程度に小型で軽量なものもある。
また、例えば、地上波デジタル放送は、放送エリア毎に放送局が存在し、独自に放送を
行なっている。このため、異なる放送エリアに移動すると、放送局も異なるため、異なる
放送が行なわれている。これは、地上波デジタル放送は、放送エリア毎に放送免許を取得
した放送局が行なう制度になっていることによる。
【０００３】
このため、例えば、所望の放送番組を予め調べたユーザが、移動可能な放送受信装置を
携帯し、現在の放送エリアから所望の番組が放送される異なる放送エリアに移動し、チャ
ンネルサーチを行なうことによって、上記所望の放送番組を受信することが可能である。
【０００４】
そして、例えば、異なる放送エリアであるローカル局だけで放送される地方（他県）特
有の番組を異なる放送エリアに移動して受信し、視聴や録画を行いたいというユーザの要
求があった。
【０００５】
また、ドラマ等の再放送が、地域毎に異なる時期に放送されることがある。本放送で見
逃したこのような番組を異なる放送エリアに移動して受信し、視聴や録画を行いたいとい
うユーザの要求があった。
【０００６】
しかし、例えば、上記のようにユーザが、予め所望の放送番組を調べ、異なる放送エリ
アに移動し、ユーザが放送受信装置を操作してチャンネルサーチを行なう必要があり、こ
れらの動作がユーザにとって煩雑であるという問題があった。
【０００７】
このため、ユーザが放送受信装置を携帯して異なる放送エリアに移動する前に、視聴や
録画の予約設定を簡易に行うことが可能な放送受信装置を提供することが課題となってい
た。
【先行技術文献】
【特許文献】
【０００８】
【特許文献１】特開２００７−２８５５６号公報
【発明の概要】
【発明が解決しようとする課題】
【０００９】
ユーザが放送受信装置を携帯して異なる放送エリアに移動する前に、視聴や録画の予約
設定を簡易に行うことが可能な放送受信装置を提供することが課題となっていた。
【課題を解決するための手段】
【００１０】
実施形態の放送受信装置は、放送受信装置の移動先を指定可能に出力する移動先指定部
を備える。
また、前記移動先が指定された場合に、前記指定された移動先で受信可能な番組に係る
番組情報を、インターネットを介して取得する番組情報取得部を備える。
また、前記取得された番組情報に基づいて、前記移動先で受信可能な番組に係る番組表
を作成し、出力する番組表出力部を備える。
【図面の簡単な説明】
【００１１】
【図１】実施形態に係わる放送受信装置の構成の一例を示すブロック図。
【図２】実施形態に係わる放送受信装置から出力され、映像表示装置に表示される移動先の番組表取得設定画面の表示例を示す図。
【図３】実施形態に係わる放送受信装置から出力され、映像表示装置に表示される番組表ＧＵＩの表示例を示す図。
【図４】実施形態に係わる放送受信装置から出力され、映像表示装置に表示される受信チャンネル設定ＧＵＩの表示例を示す図。
【図５】実施形態に係わる放送受信装置から出力され、映像表示装置に表示される録画予約リストＧＵＩの表示例を示す図。
【図６】実施形態に係わる放送受信装置における移動先の番組表の作成動作を説明するフローチャート。
【図７】実施形態に係わる放送受信装置における番組予約動作を説明するフローチャート。
【図８】実施形態に係わる放送受信装置における予約録画番組における放送チャンネル情報の取得動作および録画実行動作を説明するフローチャート。
【発明を実施するための形態】
【００１２】
以下、図面を参照し、実施の形態を説明する。
図１は、実施形態に係わる放送受信装置の構成の一例を示すブロック図である。
符号１は放送受信装置である。符号１１は地上波チューナ部、符号１２は受信チャネル
設定格納部、符号１３はＴＶ録画・再生システム部、符号１５は有線／無線通信部（イン
ターネット）、符号１６は電子番組情報格納部、符号１７は予約番組情報格納部、符号１
８は番組予約管理部、符号１９は映像・音声出力部、符号２０はＢＤ／ＤＶＤ再生システ
ム部、符号２１はシステム制御部、符号２２は電源制御部、符号２３は入力操作部である
。これらは、放送受信装置１内部に構成される。
【００１３】
符号１０は放送受信アンテナである。放送受信アンテナ１０で受信された放送は、地上
波チューナ部１１に送信される。
また、符号１４はインターネット受信アンテナである。インターネット受信アンテナ１
４は、インターネットと無線接続しており、インターネット受信アンテナ１４で受信した
情報は有線／無線通信部（インターネット）１５に送信される。また、符号２８はＬＡＮ
ケーブルである。ＬＡＮケーブル２８はインターネットと無線接続しており、同様に、Ｌ
ＡＮケーブル２８を介したインターネット情報は有線／無線通信部（インターネット）１
５に送信される。
【００１４】
また、符号２４は映像・音声記録外部メモリである。映像・音声記録外部メモリ２４は
例えばＨＤＤや半導体メモリで構成される。映像・音声記録外部メモリ２４には、上記受
信された放送番組が録画される。また、映像・音声記録外部メモリ２４に録画された放送
番組はＴＶ録画・再生システム部１３に制御され、再生される。
【００１５】
符号２５は映像表示装置である。映像表示装置２５には、例えば、映像・音声記録外部
メモリ２４に録画された放送番組が再生表示される。また、後述する移動先の番組予約に
係るＧＵＩ等の表示出力も表示される。ここで、ＧＵＩはグラフィカルユーザインタフェ
ース（Graphical User Interface）である。
【００１６】
なお、この実施の形態においては、映像表示装置２５は、放送受信装置１と一体に構成
されても良いし、別体に構成することも可能である。
符号２６はスピーカであり、例えば、映像・音声記録外部メモリ２４に録画された放送
番組に係る音声が出力される。
符号２７はＢＤ／ＤＶＤである。ＢＤ／ＤＶＤ２７は、上記映像・音声記録外部メモリ
２４と同様に、上記受信された放送番組が録画される。また、ＢＤ／ＤＶＤ２７に録画さ
れた放送番組はＴＶ録画・再生システム部１３に制御され、再生される。
【００１７】
そして、ここでは、地上波チューナ部１１はフルセグまたはワンセグに係る放送信号を
受信する。そして、受信した放送信号を復調処理し、図示しないＡ／Ｄ変換処理、逆拡散
処理、等を施し、デジタル方式の映像信号、音声信号、電子番組情報信号を、ＴＶ録画・
再生システム部１３に供給する。
【００１８】
ここで、地上波デジタル放送について説明する。地上波デジタル放送は、一つの放送局
の電波が１３のセグメントに分かれている。そのうち1つのセグメントを利用して、モバ
イル（携帯端末）向けに放送されているのが「ワンセグ」である。
【００１９】
また、残りの１２セグメントは、全てを利用してハイビジョン放送を１番組か、４セグ
メントを利用した通常画質（ＳＤＴＶ）の放送を最大３番組放送することが可能である。
「フルセグ」は、例えば、１３セグメント全てを受信できるという意味で使用される。
【００２０】
ＴＶ録画・再生システム部１３は、地上波チューナ部１１（フルセグまたはワンセグ）
の制御と、供給されるデジタル方式の映像信号、音声信号を例えば、外部メモリ（ＨＤＤ
、ＳＤカード等のＩＣメモリカード）２４に上記録画・再生制御する。
【００２１】
また、受信可能なＴＶチャンネルをサーチ（チャンネルサーチ）し、受信チャンネル設
定格納部１２に得られた番組の受信チャンネル情報等の番組情報を記憶する。
また、上記放送波から電子番組情報信号を取得し、番組予約管理部１８に供給する。
番組予約管理部１８は、有線／無線通信部（ＬＡＮケーブル、無線ＬＡＮ、Ｂｌｕｅｔ
ｏｏｈ（登録商標）等）によりインターネット回線に接続する。そして、インターネット
を介して複数の放送エリアで放送される番組の番組情報を取得する。
【００２２】
このインターネットを介して取得される複数の放送エリアから取得される番組情報を用
い、ＴＶ番組表を作成し、電子番組情報格納部１６に記憶する。また、後述する録画予約
リスト６０等を作成し、予約番組情報格納部１７に記憶する。
【００２３】
ＢＤ／ＤＶＤ再生システム部２０は、ＢＤ／ＤＶＤディスクから情報を読み取り、復号
して、デジタル方式の映像・音声信号に変換して出力する。
映像・音声出力部１９は、デジタル方式の映像・音声信号をＤ／Ａ変換して映像表示部
２５やスピーカ２６へ供給し、映像表示部（例えば液晶パネル）２５より映像出力、スピ
ーカ２６から音声を出力する。
【００２４】
システム制御部２１は、ここでは、ＴＶ録画・再生システム部１３、ＢＤ／ＤＶＤ再生
システム部２０、映像・音声出力部１９の制御や入力操作部２３からのユーザーインター
フェース機能を備えている。
【００２５】
電源制御部２２は、システム制御部２１の指示により、ＴＶ録画・再生システム部１３
、ＢＤ／ＤＶＤ再生システム部２０、映像・音声出力部１９等の電源（ＯＮ／ＳＴＡＮＢ
Ｙ等の動作）をコントロールする。
【００２６】
図２は、実施形態に係わる放送受信装置から出力され、映像表示装置に表示される移動
先の番組表取得設定画面の表示例を示す図である。
この番組表取得設定画面は、ここでは、映像表示装置２５に表示される。そして、この
番組表取得設定画面を見ながら、ユーザが入力操作部２３を操作し、番組表に係る情報が
取得設定される。
【００２７】
符号３１は番組表サイト名選択指定部である。ここでは、符号３７の選択ボタンを指定
することにより、予め登録された番組表サイト名が表示される。符号３８は予め登録され
た番組表サイト名の表示例である。ここでは、「インターネットＴＶサイト１」、「イン
ターネットＴＶサイト２」、「インターネットＴＶサイト３」が表示され、例えば、「イ
ンターネットＴＶサイト１」が選択指定される。
【００２８】
符号３２は番組表サイトＵＲＬである。ここでは、例えば、ユーザが所望する番組表サ
イトのＵＲＬがユーザによって入力される。
符号３３は地域の選択指定である。ここでは、符号３９の選択ボタンを指定することに
より、予め登録された地域が表示される。ここでは、ユーザによって「長崎」が選択指定
される。
【００２９】
符号３４は日付の選択指定である。ここでは、符号４０の選択ボタンを指定することに
より、予め登録された日時が表示される。ここでは、ユーザによって「○月×日」が選択
指定される。
【００３０】
符号３５は番組表選択部である。ここでは、符号４１の選択ボタンを指定することによ
り、予め登録された番組表が表示される。ここでは、ユーザによって「番組表２（移動先
）」が選択指定される。
【００３１】
符号３６は「ダウンロード」指定ボタンである。ユーザ操作によって「ダウンロード」
が指定される。
図３は、実施形態に係わる放送受信装置から出力され、映像表示装置に表示される番組
表ＧＵＩの表示例を示す図である。
上記と同様に、この番組表ＧＵＩも映像表示装置２５に表示される。そして、この番組
表ＧＵＩを見ながら、ユーザが入力操作部２３を操作し、例えば、移動先における所望の
番組が視聴または録画予約される。
【００３２】
符号４１は番組表選択指定部である。ここでは、符号４２の選択ボタンを指定すること
により、予めインターネットから取得され、作成された番組表が表示される。符号４３は
予め取得、作成された番組表の表示例である。ここでは、「番組表１」、「番組表２（移
動先）」が表示され、例えば、「番組表２（移動先）」が選択指定される。
【００３３】
ここでは、「番組表１」は移動前の番組表、「番組表２（移動先）」は移動先の番組表
である。
符号４４は日付の選択指定である。ここでは、符号４５の選択ボタンを指定することに
より、予め登録された日時が表示される。ここでは、ユーザによって「○月×日」が選択
指定される。
【００３４】
符号４６は上記選択指定された「番組表２（移動先）」における番組表の表示例である
。
ここでは、符号４７を付した、「Ｙ放送局」の「００２ｃｈ」で「１４：００−１６：
００」に放送される「Ｂ１  ○×ドラマ」が、ユーザ操作によって選択指定される。
【００３５】
なお、地域情報はここでは、長崎である。
図４は、実施形態に係わる放送受信装置から出力され、映像表示装置に表示される受信
チャンネル設定ＧＵＩの表示例を示す図である。
上記と同様に、この受信チャンネル設定ＧＵＩも映像表示装置２５に表示される。そし
て、この受信チャンネル設定ＧＵＩを見ながら、ユーザが入力操作部２３を操作し、例え
ば、移動先における所望の番組が視聴または録画予約される。
【００３６】
この実施の形態においては、例えば、上記インターネットを介した番組情報の取得にお
いて、符号５５を付した「放送チャンネル」に係る情報が取得できない場合においても番
組表の作成動作を可能にし、ユーザが所望する番組の視聴または録画予約を可能にする。
【００３７】
符号５１は受信チャンネル（受信ｃｈ設定リスト）である。ここでは、符号５２の選択
ボタンを指定することにより、予めインターネットから取得され、作成された受信ｃｈ設
定リストが表示される。符号５３は予め取得、作成された受信ｃｈ設定リストの表示例で
ある。ここでは、「受信ｃｈ設定リスト１」、「受信ｃｈ設定リスト２（移動先）」が表
示され、例えば、「受信ｃｈ設定リスト２（移動先）」が選択指定される。
【００３８】
ここでは、「受信ｃｈ設定リスト１」は移動前の受信ｃｈ設定リスト、「受信ｃｈ設定
リスト２（移動先）」は移動先の受信ｃｈ設定リストである。
符号５４は上記選択指定された「受信ｃｈ設定リスト２（移動先）」の表示例である。
ここでは、符号５５を付した「放送チャンネル」に係る情報が取得できていないことを
示している。しかし、ここで取得できていない「放送チャンネル」に係る情報は、後述す
る図８で説明する予約録画番組における放送チャンネル情報の取得動作において取得され
る。
【００３９】
図５は、実施形態に係わる放送受信装置から出力され、映像表示装置に表示される録画
予約リストＧＵＩの表示例を示す図である。
上記と同様に、この録画予約リストＧＵＩも映像表示装置２５に表示される。ここでは
、符号６０を付すように、上記ユーザが行なった録画予約がリスト表示される。
【００４０】
ここでは、例えば、符号５５を付した、上記図４で取得できていない「放送チャンネル
」に係る情報が後述する図８で説明する予約録画番組における放送チャンネル情報の取得
動作において取得され、「００２ｃｈ」と表示される。
【００４１】
図６は、実施形態に係わる放送受信装置における移動先の番組表の作成動作を説明する
フローチャートである。
符号Ｓ１００は、ここでの開始ステップである。続いて、ステップＳ１０１に進む。
ステップＳ１０１は、上記図２の番組表取得サイト名３１は選択指定されたかを判別す
るステップである。番組表取得サイト名３１は選択指定されたかと判別される場合はステ
ップＳ１０３に進む（Ｙｅｓ）。番組表取得サイト名３１は選択指定されないと判別され
る場合はステップＳ１０２に進む（Ｎｏ）。
【００４２】
ステップＳ１０２は、番組表取得サイトＵＲＬ３２をユーザが入力指定するステップで
ある。続いて、ステップＳ１０３に進む。
ステップＳ１０３は、上記のように、インターネットを介し、指定された番組表サイト
（移動先）に接続するステップである。続いて、ステップＳ１０４に進む。
ステップＳ１０４は、上記地域３３、日付３４が選択指定されるステップである。続い
て、ステップＳ１０５に進む。
ステップＳ１０５は、ユーザが所望の番組表名（例えば番組表２（移動先））を選択指
定するステップである。続いて、ステップＳ１０６に進む。
ステップＳ１０６は、ユーザが番組表データダウンロード表示３６を指定するステップ
である。続いて、ステップＳ１０７に進む。
ステップＳ１０７は、移動先の番組表データをダウンロードするステップである。続い
て、ステップＳ１０８に進む。
ステップＳ１０８は、番組表を作成し、出力するステップである。続いて、ステップＳ
１０９に進む。
ステップＳ１０９は、例えば図４の符号５４に示すように、移動先の放送チャンネル設
定を作成し、出力するステップである。続いて、ステップＳ１１０に進む。
ステップＳ１１０は、終了ステップであり、ここでの処理は終了する。
図７は、実施形態に係わる放送受信装置における番組予約動作を説明するフローチャー
トである。
符号Ｓ２００は、ここでの開始ステップである。続いて、ステップＳ２０１に進む。
ステップＳ２０１は、ユーザによって番組表１（現在地）が選択されたかを判別するス
テップである。番組表１（現在地）が選択されたと判別される場合はステップＳ２０３に
進む（Ｙｅｓ）。番組表１（現在地）が選択されないと判別される場合はステップＳ２０
２に進む（Ｎｏ）。
【００４３】
ステップＳ２０２は、ユーザが番組表２（移動先）４１（図３）を選択指定するステッ
プである。続いて、ステップＳ２０３に進む。
ステップＳ２０３は、ユーザが図３に示す日付４４を選択指定するステップである。続
いて、ステップＳ２０４に進む。
ステップＳ２０４は、図３に示す番組表４６を表示するステップである。続いて、ステ
ップＳ２０５に進む。
ステップＳ２０５は、ユーザが、図３に示す、表示された番組表４６から予約番組４７
を選択指定するステップである。続いて、ステップＳ２０６に進む。
ステップＳ２０６は、指定された番組を番組情報と共に図５に示す録画予約リスト６０
に登録するステップである。続いて、ステップＳ２０７に進む。
ステップＳ２０７は、上記録画予約に重複があるかを判別するステップである。録画予
約に重複があると判別される場合はステップＳ２０８に進む（Ｙｅｓ）。録画予約に重複
がないと判別される場合はステップＳ２０９に進む（Ｎｏ）。
【００４４】
ステップＳ２０８は、重複する予約を削除するステップである。続いて、ステップＳ２
０９に進む。
ステップＳ２０９は、図５に示す録画予約リストを作成するステップである。続いて、
ステップＳ２１０に進む。
ステップＳ２１０は、終了ステップであり、ここでの処理は終了する。
図８は、実施形態に係わる放送受信装置における予約録画番組における放送チャンネル
情報の取得動作および録画実行動作を説明するフローチャートである。
符号Ｓ３００は、ここでの開始ステップである。続いて、ステップＳ３０１に進む。
ステップＳ３０１は、録画予約番組放送の所定時間、例えば１５分、前に、放送受信装
置１の電源をＯＮにするステップである。続いて、ステップＳ３０２に進む。
ステップＳ３０２は、例えば、放送受信装置１の番組予約管理部１８が上記図５に示す
録画予約リスト６０に設定された内容を確認するステップである。続いて、ステップＳ３
０３に進む。
【００４５】
ステップＳ３０３は、例えば、ユーザが、図４の符号５３を付したリスト１またはリス
ト２を選択し、受信ｃｈを切り替えるステップである。続いて、ステップＳ３０４に進む
。  ステップＳ３０４は、上記録画予約リスト６０の設定内容において、例えば、受信ｃ
ｈ等の番組情報は録画予約を行うのに十分であるかを判別するステップである。録画予約
リスト６０の番組情報の設定が録画予約を行うのに十分であると判別される場合はステッ
プＳ３０７に進む（Ｙｅｓ）。録画予約リスト６０の番組情報の設定が録画予約を行うの
に十分ではないと判別される場合はステップＳ３０５に進む（Ｎｏ）。
【００４６】
ステップＳ３０５は、放送受信装置１が移動先予約番組の受信ｃｈ等をサーチし、取得
するステップである。続いて、ステップＳ３０６に進む。
ステップＳ３０６は、上記サーチによって取得された、移動先予約番組の番組情報を図
５に示す録画予約リスト６０に再登録するステップである。続いて、ステップＳ３０７に
進む。
【００４７】
ステップＳ３０７は、上記登録あるいは再登録された録画予約リスト６０の情報に基づ
いて、予約録画を実行するステップである。続いて、ステップＳ３０８に進む。
【００４８】
ステップＳ３０８は、終了ステップであり、ここでの処理は終了する。
上記のように構成することによって、この実施の形態においては、ユーザが放送受信装
置を携帯して異なる放送エリアに移動する前に、視聴や録画の予約設定を簡易に行うこと
が可能な放送受信装置を提供することが可能になる。
【００４９】
また、上記のように、異なる放送エリアに移動する前に、インターネットを介して番組
情報を取得し、予約を行なうことが可能になるので、例えば、その放送エリアでしか放送
していない番組を予め探すことが可能になる。
【００５０】
また、例えば、異なる放送エリアの移動先でしか見ることの出来ない、ローカル局のみ
で放送される地方（他県）特有の番組を視聴や録画予約し、視聴することが可能になる。
【００５１】
また、例えば、放送エリア（地域）毎に異なる時期に再放送されるドラマ等の再放送等
の本放送で見逃した番組を探し、異なる放送エリアに移動することにより、視聴や録画予
約によって視聴することが可能になる。
【００５２】
なお、上記説明においては、放送受信装置１の一例として、ＢＤ／ＤＶＤプレーヤ等に
地上波テジタル（フルセグまたはワンセグ）放送の録画、視聴機能を搭載したポータブル
ＢＤ／ＤＶＤ装置を用いたが、放送は地上波テジタル放送に限定されず、この実施の形態
においては、異なる放送エリアでは放送されている番組が異なるような放送にも適用可能
である。
【００５３】
また、この実施の形態は、ポータブルＢＤ／ＤＶＤの他にも、例えば、地上テジタル放
送等の放送の録画、視聴機能を搭載し、インターネットに接続可能な携帯型装置（例えば
ポータブルＴＶ、携帯電話等）においても同様に適用可能である。
【００５４】
上記のように構成することによって、この発明の実施の形態においては、ユーザが放送
受信装置を携帯して異なる放送エリアに移動する前に、視聴や録画の予約設定を簡易に行
うことが可能な放送受信装置を提供することが可能になる。
【００５５】
なお、上記実施形態は、記述そのものに限定されるものではなく、実施段階では、その
趣旨を逸脱しない範囲で、構成要素を種々変形して具体化することが可能である。
【符号の説明】
【００５６】
１…放送受信装置、１０…放送受信アンテナ、１１…地上波チューナ、１２…受信チャ
ネル設定格納部、１３…ＴＶ録画・再生システム部、１４…インターネット受信アンテナ
、１５…有線／無線通信部（インターネット）、１６…電子番組情報格納部、１７…予約
番組情報格納部、１８…番組予約管理部、１９…映像・音声出力部、２０…ＢＤ／ＤＶＤ
再生システム部、２１…システム制御部、２２…電源制御部、２３…入力操作部、２４…
映像・音声記録外部メモリ（ＨＤＤ、メモリ）、２５…映像表示装置、２６…スピーカ、
２７…ＢＤ／ＤＶＤ、２８…ＬＡＮケーブル。
【図１】
2012156905.tif 000003
【図２】
2012156905.tif 000004
【図３】
2012156905.tif 000005
【図４】
2012156905.tif 000006
【図５】
2012156905.tif 000007
【図６】
2012156905.tif 000008
【図７】
2012156905.tif 000009
【図８】
2012156905.tif 000010